(57)【特許請求の範囲】
【請求項１】
情報読取装置により読み取られる情報であり、装着者を特定する情報を無線信号として送信する発信素子が、義歯床に支持された人工歯の歯根側の窪みに内蔵され、
前記発信素子を内蔵した人工歯は、前記義歯床に支持された他の人工歯と異なる色の着色材が混合された成形材により形成されていることを特徴とする有床義歯。
【請求項２】
前記発信素子が内蔵された窪みには、樹脂が充填されている請求項１記載の有床義歯。
【発明の詳細な説明】
【技術分野】
【０００１】
本発明は、人工歯と人工歯を支持する義歯床とを備えた有床義歯に関するものである。
【背景技術】
【０００２】
事故や災害などで負傷したり死亡したりした被害者の身元を調査するのは、免許証や保険証などを携帯していない場合には困難である。このような場合に、例えば、特許文献１に記載された個人データ保存装置によれば、歯冠補綴物に、氏名、血液型、既往症などの個人データを記憶させた素子を内蔵させているので、緊急の医療処置を施すときなど、本人から直接的に聞き出すことのできないときにも、素子の記憶内容を取り出すことにより、迅速に適切な処置を取ることができる。
【先行技術文献】
【特許文献】
【０００３】
【特許文献１】特開平７−２４１３０１号公報
【発明の概要】
【発明が解決しようとする課題】
【０００４】
特許文献１に記載の個人データ保存装置では、素子を歯冠補綴物に内蔵しているので、死亡事故や損傷の激しい遺体、身元不明の遺体などから身元の確認をすることができるが、それだけでなく、装着者が活動できる状態でも色々な活用方法があるものと思われる。
【０００５】
しかし、特許文献１では、素子から個人を特定できるデータを読みだす場合に、素子にコネクタが設けられていれば端子に外部のコネクタを直接接続することでデータを読み出したり、素子が発信型で記憶情報を発信するものであれば、発信された記憶情報を受信することで情報を読み出したりしているので、装着者が活動できる状態では、歯冠補綴物に内蔵された素子からデータを読み取ることが困難な場合がある。
【０００６】
それは、外部のコネクタを端子に直接接続する場合では、コネクタが端部に接続されたケーブルを口腔内に入れる必要があり、また、素子からの信号が弱い場合には、受信機を口腔内に入れる必要があるからである。
従って、特許文献１に記載の個人データ保存装置は、装着者が活動できなくなった状態が前提のものであり、装着者が活動できる状態での活用方法までは想定されていない。
【０００７】
そこで本発明は、装着者がどのような状態であっても、装着者の個人を特定することが容易にできる有床義歯を提供することを目的とする。
【課題を解決するための手段】
【０００８】
本発明の有床義歯は、情報読取装置により読み取られる情報であり、装着者を特定する情報が格納された情報格納体が、人工歯、前記人工歯を支持する義歯床、前記義歯床を支持するバー、または支台歯に係止するためのクラスプに内蔵されていることを特徴とする。
【０００９】
本発明の有床義歯によれば、有床義歯は義歯床に人工歯が設けられたものであるため、簡単に口腔内から取り外しができるので、口腔内に情報読取装置を入れる必要がなく、有床義歯を口腔内から外して情報読取装置の近くに持って行き、読取作業を行うことができる。従って、装着者が負傷したり死亡したりして活動できないような状態だけでなく、装着者が活動できる状態でも簡単に情報を読み出すことができる。
【００１０】
前記情報格納体を内蔵した人工歯は、前記義歯床に支持された他の人工歯と異なる色に形成されているのが望ましい。人工歯を識別するための凹凸を設けることなく人工歯の色の違いで情報格納体を内蔵しているか否かを判断することができるので、装着者に違和感を与えない。また、人工歯に刻印を付与するより、簡単な工程で着色することができる。
【００１１】
前記情報格納体を内蔵した人工歯は、成形材に着色材を混合して形成されているのが望ましい。人工歯を形成するための成形材に着色材を混合しただけなので、簡単に他の人工歯と識別するための着色を行うことができる。
【００１２】
前記情報格納体は、前記装着者を特定する情報を無線信号として送信する発信素子であるのが望ましい。人工歯または義歯床に内蔵された発信素子からの電波が微弱であっても、有床義歯を口腔内から外して情報読取装置の近くに持って行くことができるので、発信素子からの無線信号で装着者を特定することができる情報を読み出すことができる。
【００１３】
前記発信素子を内蔵した義歯床には、前記発信素子への起電力の供給と、前記発信素子からの情報を送信するためのアンテナが設けられているのが望ましい。義歯床に発信素子を内蔵させ、アンテナを埋設することで、発信素子からの電波の到達距離を延ばすことができる。
【００１４】
前記情報格納体は、担持体に、前記装着者を特定する情報として光学的読取情報が表記されたものとすると、故障することがないので、確実に情報の読取ができる。
【発明の効果】
【００１５】
本発明の有床義歯によれば、簡単に口腔内から取り外しができるので、装着者が負傷したり死亡したりして活動できないような状態だけでなく、装着者が活動できる状態でも簡単に情報を読み出すことができることにより、装着者がどのような状態であっても、装着者の個人を特定することが容易にできる。
【図面の簡単な説明】
【００１６】
【図１】本発明の実施の形態１に係る安否確認システムの構成を示す図である。
【図２】図１に示す有床義歯および発信素子を説明するための図である。
【図３】図１に示す容器を説明するための図であり、（Ａ）は斜視図、（Ｂ）は側面図である。
【図４】図１に示す管理サーバの構成を示すブロック図である。
【図５】図４に示す管理サーバの安否判定部の動作を説明するための図であり、管理サーバが、前回、非検知通知を受信している場合を示すフローチャートである。
【図６】図４に示す管理サーバの安否判定部の動作を説明するための図であり、管理サーバが、前回、検知通知を受信している場合を示すフローチャートである。
【図７】図４に示す管理サーバの時間設定部の動作を説明するためのフローチャートである。
【図８】本発明の実施の形態２に係る安否確認システムの構成を示す図である。
【図９】図８に示す安否確認システムの有床義歯を説明するための図である。
【図１０】本発明の実施の形態３に係る有床義歯を示す図であり、（Ａ）は情報格納体として発信素子を内蔵する人工歯の位置を説明するための斜視図、（Ｂ）は人工歯に発信素子を内蔵させた状態を示す斜視図である。
【図１１】本発明の実施の形態３に係る有床義歯を示す図であり、（Ａ）は情報格納体として発信素子を内蔵する義歯床の位置を説明するための斜視図、（Ｂ）は義歯床に発信素子を内蔵させた状態を示す斜視図である。
【図１２】本発明の実施の形態３に係る有床義歯を示す図であり、（Ａ）は情報格納体として発信素子を内蔵するバーの位置を説明するための斜視図、（Ｂ）はバーに発信素子を内蔵させた状態を示す斜視図である。
【図１３】本発明の実施の形態３に係る有床義歯を示す図であり、（Ａ）は情報格納体として発信素子を内蔵するクラスプの位置を説明するための斜視図、（Ｂ）はクラスプに発信素子を内蔵させた状態を示す斜視図である。
【図１４】本発明の実施の形態４に係る有床義歯に内蔵される情報格納体を示す図であり、（Ａ）は担持体に一次元コードを表記した情報格納体の斜視図、（Ａ）は担持体に二次元コードを表記した情報格納体の斜視図、（Ｃ）は担持体にドットコードを表記した情報格納体の斜視図である。
【図１５】図１４（Ｃ）に示す情報格納体に表記されたドットコードを説明するための図である。
【図１６】本発明の実施の形態４に係る有床義歯を示す斜視図である。
【発明を実施するための形態】
【００１７】
（実施の形態１）
本発明の実施の形態１に係る安否確認システムを、図面に基づいて説明する。
図１に示す安否確認システム１０は、老齢者や要介護者などの対象者の活動を検知して、対象者の安否を確認することができるものである。
【００１８】
安否確認システム１０は、情報格納体として発信素子を内蔵した有床義歯２０と、発信素子からの信号を検知する情報読取装置として機能するセンサ３０と、センサ３０からの検知通知を電気通信回線の一例であるインターネットＷへ送信する通信装置４０と、インターネットＷからの検知通知に基づいて対象者の安否を確認する管理サーバ５０とを備えている。
【００１９】
有床義歯２０は、対象者（装着者）が装着する局部床義歯や部分義歯と称される部分入れ歯や、全部床義歯や総義歯と称される総入れ歯などとすることができる。本実施の形態では、図２（Ａ）に示すように、上顎全部の歯牙を人工歯２２とし、これらの人工歯２２が義歯床２１に支持された入れ歯の有床義歯２０としている。
【００２０】
有床義歯２０には、左上６番の人工歯２２ａに、発信素子Ｔが埋め込まれている。この発信素子Ｔが埋め込まれた人工歯２２ａは、義歯床２１に支持された他の人工歯２２と異なる色に形成されている。本実施の形態１では、他の人工歯２２が黄色を帯びた白色であるのに対し、人工歯２２ａは赤色に着色されている。この着色は、人工歯２２ａを樹脂成形する際に、成形材に着色材を混合して形成することができる。なお、人工歯２２ａの色は、赤色以外に、他の人工歯２２と区別が付けばよいので、青色や緑色、濃淡の変更などとすることができる。
【００２１】
発信素子Ｔは、人工歯２２ａの中心部に設けた窪み２２ｂに収納されている。発信素子Ｔが収納された窪み２２ｂは、蓋として樹脂が充填されている。発信素子Ｔは、非接触式のパッシブダグ型のＲＦＩＤタグとすることができる。
この発信素子Ｔには、個人を特定するための識別情報（ＩＤ情報）と、氏名、住所、生年月日、性別、血液型、治療に掛かった歯科院を特定する病院名や病院を識別するコードなどの個人情報、容量が十分であれば病歴などが格納されている。発信素子Ｔにセンサ３０から電波を照射して起電力を得ることで、発信素子Ｔ内に記憶させた各種情報をセンサ３０へ送信する。
【００２２】
センサ３０は、電波を送信して有床義歯２０に埋め込まれた発信素子Ｔから信号（各種の情報）を読み取れれば、この信号を検知通知として通信装置４０へ出力する。また、センサ３０は、信号が読み取れなくなれば非検知通知を通信装置４０へ出力する。検知通知は、発信素子Ｔを検知した旨の情報と、発信素子Ｔからの識別情報と個人情報である。非検知通知は、発信素子Ｔを検知できなくなった旨の情報と、発信素子Ｔからの識別情報である。本実施の形態１に係るセンサ３０は、歯科補綴物である有床義歯２０を収納する容器６０に設けられている。
【００２３】
容器６０は、図３に示すように平面視略半円形状に形成された蓋付きの入れ歯ケースである。容器６０には、その底面にセンサ３０が配置されている。容器６０は単なる収納容器とするだけなく、洗浄容器とすることができる。容器６０の電源は電池としたり、電灯線から供給を受けたりすることができる。
【００２４】
通信装置４０は、図１に示すように、センサ３０からの検知通知をインターネットＷに接続された管理サーバ５０へ送信する。通信装置４０とセンサ３０とは無線通信としたり有線通信としたりすることができるが、容器６０の持ち運びを容易とするために、無線通信とするのが望ましい。
【００２５】
管理サーバ５０は、インターネットＷに接続された安否確認装置として機能するコンピュータである。管理サーバ５０は、安否確認プログラムを動作させることで、安否確認装置として機能する。管理サーバ５０は、図４に示すように通信部５１と、安否判定部５２と、報知部５３と、時間設定部５４と、カレンダ部５５と、記憶部５６とを備えている。
【００２６】
通信部５１はインターネットＷからの情報を受信して安否判定部５２へ出力したり、安否判定部５２からの情報を入力してインターネットＷへ送信したりする機能を備えている。安否判定部５２は、所定時間のうちに、検知通知を受信したり、非検知通知を受信したりすることにより対象者が活動状況にあることを判定したり、活動できない状況にあることを判定したりする。報知部５３は、安否判定部５２により安否が確認されたとき、または異常が検知されたときに、対象者の親族や関係者に報知する。本実施の形態の報知部５３では、電子メールにより安否の状態を報知する機能を備えている。時間設定部５４は、安否判定部５２が対象者の安否の判定を行う際の時間を設定する。カレンダ部５５は、日にち、時間を計測する。記憶部５６は、ＯＳやアプリケーションなどのプログラムだけでなく、各種の設定情報や統計情報が格納される。
【００２７】
以上のように構成された本発明の実施の形態１に係る安否確認システムの動作および使用状態について、図面に基づいて説明する。なお、対象者は、通常、午前８時に起床し、午後９時に就寝するものとする。従って、記憶部５６には、予め非検知通知の通知が予想される非検知時間として午前９時が設定され、検知通知の通知が予想される検知時間として午後１０時が設定されているものとする。
【００２８】
図５に示すように、前回、非検知通知を受信しているのであれば、管理サーバ５０では、安否判定部５２が記憶部５６から検知時間である「午後１０時」を読み込み（ステップＳ１０）、現時刻をカレンダ部５５から読み込んで（ステップＳ２０）、現時刻が検知時間を過ぎたか否かを判定する（ステップＳ３０）。
【００２９】
対象者は、就寝前の午後９時に、有床義歯２０を取り外して容器６０へ収納する。有床義歯２０を容器６０へ収納することで、容器６０に設けられたセンサ３０が有床義歯２０に設けられた発信素子Ｔからの信号を受信する。センサ３０は発信素子Ｔからの信号を検知通知として通信装置４０へ出力する。通信装置４０では、検知通知を、インターネットＷを介して管理サーバ５０へ送信する。
【００３０】
管理サーバ５０では、現時刻が検知時間を過ぎていない場合に、安否判定部５２が検知通知を受信したか否かを判定している（ステップＳ４０）。安否判定部５２は、検知通知を受信していない場合に、ステップＳ２０へ移行する。
【００３１】
安否判定部５２が午後１０時前に通信部５１を介して検知通知を受信すると、対象者が問題なく有床義歯２０を外し、就寝したことが確認できる。報知部５３は記憶部５６に設定された送信先アドレスを識別情報に基づいて読み出し、対象者が活動状態にあり、問題ないことを電子メールにて通知する（ステップＳ５０）。
【００３２】
ステップＳ３０にて、検知時間である午後１０時までに検知通知が受信できなかった場合であるが、通常、対象者は、午後９時には就寝して有床義歯２０を外し容器６０へ収納しているので、管理サーバ５０側で検知通知が受信できるはずである。しかし、午後１０時になっても有床義歯２０が容器６０へ収納されていないことから、対象者に何か不測の事態が発生した可能性がある。そこで、安否判定部５２が異常と判定することで、報知部５３が電子メールで親族や関係者に問題があることを通知する（ステップＳ６０）。
【００３３】
なお、ステップＳ５０にて、問題ない旨の電子メールを関係者へ送信するようにしているが、毎日の電子メールの受信に問題があるようであれば、問題ないときに電子メールを送信しないようにすることも可能である。
【００３４】
次に、前回、管理サーバ５０が検知通知を受信している場合を図６に基づいて説明する。安否判定部５２が記憶部５６から非検知時間である「午前９時」を読み込み（ステップＳ１１０）、現時刻をカレンダ部５５から読み込んで（ステップＳ１２０）、現時刻が非検知時間となったか否かを判定する（ステップＳ１３０）。
【００３５】
対象者は、起床後の午前８時に、有床義歯２０を容器６０から取り出して装着する。有床義歯２０が容器６０から取り出されることで、容器６０に設けられたセンサ３０は有床義歯２０に設けられた発信素子Ｔからの信号が受信できなくなる。センサ３０は発信素子Ｔからの信号を非検知通知として通信装置４０へ出力する。通信装置４０では、非検知通知を、インターネットＷを介して管理サーバ５０へ送信する。
【００３６】
管理サーバ５０では、現時刻が非検知時間を過ぎていない場合に、安否判定部５２が非検知通知を受信したか否かを判定している（ステップＳ１４０）。安否判定部５２は、検知通知を受信していない場合に、ステップＳ１２０へ移行する。
【００３７】
安否判定部５２が午前９時前に通信部５１を介して非検知通知を受信すると、対象者が問題なく起床して有床義歯２０を装着したことが確認できる。報知部５３は記憶部５６に設定された送信先アドレスを識別情報に基づいて読み出し、対象者が活動状態にあり、問題ないことを電子メールにて通知する（ステップＳ１５０）。
【００３８】
ステップＳ１３０にて、非検知時間である午前９時までに非検知通知が受信できなかった場合であるが、通常、対象者は、午前８時には起床して容器６０から有床義歯２０を取り出し装着する習慣であるため、管理サーバ５０側で午前８時過ぎには非検知通知が受信できるはずである。しかし、午前１０時になっても有床義歯２０が容器６０へ収納されていないことから、対象者に何か不測の事態が発生した可能性がある。そこで、安否判定部５２が異常と判定することで、報知部５３が電子メールで親族や関係者に問題があることを通知する（ステップＳ１６０）。
【００３９】
なお、ステップＳ１５０にて、問題ない旨の電子メールを関係者へ送信するようにしているが、ステップＳ５０と同様に、毎日の電子メールの受信に問題があるようであれば、問題ないときに電子メールを送信しないようにすることも可能である。
【００４０】
このように、発信素子Ｔが対象者の口腔内に装着される歯科補綴物（有床義歯２０）に設けているため、通信装置を介して受信した検知通知により、対象者に意識させることなく管理サーバ５０にて安否の確認をすることができる。また、有床義歯２０であれば、日常、対象者が装着するものであるので、新たな習慣付けの必要がない。従って、対象者が監視されているという意識を持つことなく、対象者の安否を確認することができる。
【００４１】
また、対象者は就寝する際に有床義歯２０を外して容器６０に収納し、起床して食事する際に有床義歯２０を取り出して装着するよう習慣付いている。このような習慣は概ね毎日変化がない。従って、有床義歯２０を収納する容器６０にセンサ３０を設けることで、少なくとも１日１回ずつの発信素子Ｔの検知および非検知を確実に検出することができる。
【００４２】
次に、時間設定部５４による検知時間および非検知時間の設定方法について、図７に基づいて説明する。
時間設定部５４は、検知通知または非検知通知を受信した時刻（以下、この時刻を受信時刻と称す。）を受信時にカレンダ部５５から読み込み、対象者を識別する識別情報に関連付けて記憶部５６に格納する（ステップＳ２１０）。
時間設定部５４は、所定期間、受信時刻を格納したか否かを判定する（ステップＳ２２０）。例えば、時間設定部５４が１ヵ月間の時刻を格納すれば、受信時刻の最も遅い時刻を抽出する（ステップＳ２３０）。例えば、受信時刻の最も遅い時刻を午前８時１５分とする。
【００４３】
そして、時間設定部５４はこの最も遅い受信時刻に少しの余裕を加えた時刻、例えば１５分を加えた時刻を、検知時間、非検知時間として記憶部５６へ格納する（ステップＳ２４０）。老齢者は生活リズムが安定しており極端にばらつくことが少ないため、最も遅い受信時刻を検知時間、非検知時間としてもよいが、万が一、有床義歯２０の収納または取り出しが遅くなってしまったときに誤報となってしまうため、余裕を加えるのが望ましい。
【００４４】
このように、時間設定部５４が、非検知時間または／および検知時間を設定することで、非検知時間を習慣的に有床義歯を外す時間とすることができ、検知時間を習慣的に有床義歯を装着する時間とすることができるので、より正確な時間を設定することができる。
【００４５】
また、対象者が外出している際に、万が一に事故や災害にあって、対象者から身元が聞き出せない状況にあっても、有床義歯２０を対象者の口腔から取り出して読取装置などで発信素子Ｔの情報を読み取ることができる。このとき、対象者（装着者）が活動できる状態であっても、有床義歯２０は取り外しが簡単なので、有床義歯２０に内蔵された発信素子Ｔからデータを読み取ることが容易である。また、有床義歯２０を取り外した状態で、読取装置で読み取ることができるので、有床義歯２０を読取装置に接近させた状態とすることができる。従って、発信素子Ｔからの電波が微弱でも読み取ることができる。従って、装着者がどのような状態であっても、装着者の個人を特定することが容易にできる。
【００４６】
また、有床義歯２０は、図２に示すように、人工歯２２ａを識別するための凹凸を設けることなく人工歯２２の色の違いで発信素子Ｔを内蔵しているか否かを判断することができるので、対象者となる装着者に違和感を与えない。
また、装着者が、会話ができない状況であっても、発信素子Ｔを内蔵している有床義歯２０を装着しているか否かが一目で判断することができるので、有床義歯２０を取り出し、発信素子Ｔを内蔵した人工歯２２ａを特定して読取装置に接近させた状態で読み取ることができ、個人を特定することができる。
更に、発信素子Ｔが内蔵されていることを示すために、人工歯２２ａを形成するための成形材に着色材を混合しただけなので、人工歯２２に刻印を付与するより、簡単な工程で人工歯に識別するための着色を行うことができる。
【００４７】
（実施の形態２）
本発明の実施の形態２に係る安否確認システムを、図面に基づいて説明する。
なお、図８においては、図１と同じ構成のものは同符号を付して説明を省略する。図８では、インターネットＷと管理サーバ５０とを図示していない。
【００４８】
図８に示す安否確認システム１１は、センサ３０からの電波を起電力として有床義歯２０ｘに内蔵した発信素子Ｔが送信する電波に十分な到達距離がある場合に、対象者の住居Ｈの各所にセンサ３０を配置することで、対象者の住居内での活動を監視するものである。
【００４９】
有床義歯２０ｘは人工歯と人工歯を支持する義歯床とを備えた入れ歯であるため、図９に示すように、義歯床に発信素子Ｔを内蔵させることができるだけなく、アンテナＡを埋設することができる。従って、発信素子Ｔからの電波の到達距離を延ばすことができる。
図８に示す住居Ｈでは、玄関、トイレ、台所、居間、和室、洋室、廊下および容器６０にセンサ３０が設置されている。これらのセンサ３０は、通信装置４０と有線または無線により接続されている。
【００５０】
対象者の住居Ｈ内での移動を細かく監視するときには、センサ３０に他のセンサ３０と識別するための情報を設定しておき、センサ３０が発信素子Ｔからの信号を受信すると、発信素子Ｔの識別情報と共に、センサ３０の識別情報を、通信装置４０を介して管理サーバ５０へ検知通知として送信する。センサ３０の識別情報を管理サーバ５０へ送信することで、対象者が住居Ｈ内でどのように移動しているかを管理サーバ５０で把握することができる。また、容器６０に設けられたセンサ３０が識別できるので、実施の形態１で説明した管理サーバ５０の制御も可能である。
【００５１】
対象者が住居Ｈ内で移動していることだけがわかればよいのであれば、センサ３０が検知した発信素子Ｔの識別情報のみを管理サーバ５０へ検知通知として送信する。
このように、住居Ｈ内にセンサ３０を設置することで、日中に活動する対象者は有床義歯２０ｘを装着した状態なので、特別な習慣付けが不要である。従って、対象者が監視されているという意識を持つことなく、住居Ｈの中での活動する対象者をセンサ３０により検知することができる。
【００５２】
実施の形態１，２では、対象者が屋内にいる場合を例に説明したが、屋外でもセンサ３０を適宜配置し、通信装置４０と接続することで、対象者の安否を確認することができる。
【００５３】
（実施の形態３）
本発明の実施の形態に係る有床義歯について、図面に基づいて説明する。
実施の形態１，２では総義歯を例に説明したが、本実施の形態３では部分義歯を例に説明する。
【００５４】
部分義歯とした有床義歯２００は、人工歯２０１と、人工歯２０１を支持する義歯床２０２と、義歯床２０２を支持するバー２０３と、支台歯に係止するためのクラスプ２０４とを備えている。
図１０から図１３に示すように、発信素子Ｔは、これら、人工歯２０１、義歯床２０２、バー２０３またはクラスプ２０４のいずれかに内蔵することができる。
【００５５】
図１０（Ａ）および同図（Ｂ）において、発信素子Ｔを人工歯２０１に内蔵するときには、人工歯２０１を樹脂成形する際に、周囲面に凹部２０１ａを設けておく。そして、この凹部２０１ａに発信素子Ｔを挿入して、発信素子Ｔを樹脂で封止する。凹部２０１ａは、人工歯２０１を成形した後に切削して形成してもよい。発信素子Ｔの樹脂封止は、凹部２０１ａに発信素子Ｔを入れた状態で、熱硬化性樹脂を発信素子Ｔの表面および周囲面に塗布し、加熱して封止樹脂を硬化させる。発信素子Ｔの耐熱性に問題がなければ、人工歯２０１を樹脂成形するときに、発信素子Ｔを入れて成形してもよい。しかし、人工歯２０１の表面に凹部２０１ａを設ける方が、電波が通過しやすいので望ましい。
凹部２０１ａは、内側となる面に形成する方が美観の点で望ましい。また、封止樹脂が人工歯２０１と同じ色であり、人工歯２０１と封止樹脂との境界が視認できないのであれば、外側となる面に凹部２０１ａを形成してもよい。
【００５６】
図１１（Ａ）および同図（Ｂ）において、発信素子Ｔを義歯床２０２に内蔵するときには、義歯床２０２を樹脂成形する際に、歯肉部分に凹部２０２ａを設けておく。そして、この凹部２０２ａに発信素子Ｔを挿入して、発信素子Ｔを樹脂で封止する。凹部２０２ａは、義歯床２０２を成形した後に切削して形成してもよい。発信素子Ｔの樹脂封止は、凹部２０２ａに発信素子Ｔを入れた状態で、熱硬化性樹脂を発信素子Ｔの表面および周囲面に塗布し、加熱して封止樹脂を硬化させる。発信素子Ｔの耐熱性に問題がなければ、義歯床２０２を樹脂成形するときに、発信素子Ｔを入れて成形してもよい。しかし、義歯床２０２の表面に凹部２０２ａを設ける方が、電波が通過しやすいので望ましい。
凹部２０２ａは、内側となる面に形成する方が美観の観点から望ましい。また、封止樹脂が義歯床２０２と同じ色であり、義歯床２０２と封止樹脂との境界が視認できないのであれば、外側となる面に凹部２０２ａを形成してもよい。
【００５７】
図１２（Ａ）および同図（Ｂ）において、発信素子Ｔをバー２０３に内蔵するときには、バー２０３を鋳造する際に、発信素子Ｔが配置できる広さと深さが確保できる部分に凹部２０３ａを設けておく。そして、この凹部２０３ａに裏面に接着材を塗布した発信素子Ｔを挿入して固定する。凹部２０３ａは、バー２０３を鋳造した後に切削して形成してもよい。発信素子Ｔの耐熱性に問題がなければ、バー２０３を鋳造するときに、発信素子Ｔを入れて形成してもよい。しかし、バー２０３が金属製であるため、発信素子Ｔからの電波が通過できない可能性があるので、バー２０３の表面に凹部２０３ａを設ける方が望ましい。
【００５８】
図１３（Ａ）および同図（Ｂ）において、発信素子Ｔをクラスプ２０４に内蔵するときには、クラスプ２０４を鋳造する際に、支台歯に係止する先端部より幅が広い基端部に凹部２０４ａを設けておく。そして、この凹部２０４ａに裏面に接着材を塗布した発信素子Ｔを挿入して固定する。凹部２０４ａは、クラスプ２０４を鋳造した後に切削して形成してもよい。発信素子Ｔの耐熱性に問題がなければ、クラスプ２０４を鋳造するときに、発信素子Ｔを入れて形成してもよい。しかし、クラスプ２０４が金属製であるため、発信素子Ｔからの電波が通過できない可能性があるので、クラスプ２０４の表面に凹部２０４ａを設ける方が望ましい。
【００５９】
このように、部分義歯とした有床義歯であっても、発信素子Ｔを、部分義歯を構成する人工歯２０１、義歯床２０２、バー２０３またはクラスプ２０４に内蔵させることができる。なお、図１０から図１３においては、それぞれの構成部材のいずれかに発信素子Ｔが内蔵されているが、いずれか一つまたはその組み合わせ、または全部に発信素子Ｔを内蔵させることができる。また、発信素子Ｔを、複数の人工歯２０１に内蔵させたり、義歯床２０２の左右両方の歯肉部分に内蔵させたりすることもできる。複数の発信素子Ｔを内蔵させるときには、情報が同じ発信素子Ｔ、または情報が異なる発信素子Ｔを内蔵させることができる。
【００６０】
（実施の形態４）
本発明の実施の形態に係る有床義歯について、図面に基づいて説明する。
実施の形態３では、情報格納体として無線通信より情報が読み取れる発信素子を部分義歯に内蔵させていたが、本実施の形態４では光学的に情報が読み取られる情報格納体を例に説明する。なお、図１６においては、図１０〜図１３と同じ構成のものは同符号を付してせつを省略する。
【００６１】
図１４（Ａ）から同図（Ｃ）に示す本実施の形態４に係る情報格納体Ｍ１〜Ｍ３（以下、総称して情報格納体Ｍと記載する。）には、情報の担持体として板体Ｐに各種の光学的読取情報が表記されたものである。情報は、発信素子Ｔと同様に、個人を特定するための識別情報（ＩＤ情報）と、氏名、住所、生年月日、性別、血液型、治療に掛かった歯科院を特定する病院名や病院を識別するコードなどの個人情報、容量が十分であれば病歴などが担持されている。
【００６２】
図１４（Ａ）では、板体Ｐに一次元コードとしてバーコードが表記されている。図１４（Ｂ）では、板体Ｐにニ次元コードとしてＱＲコード（登録商標）が表記されている。図１４（Ｃ）では、板体Ｐにドットコードが表記されている。板体Ｐは、金属や樹脂、セラミックとすることができる。これらの光学的読取情報は、印刷、刻印とすることができる。
【００６３】
バーコードは縞状に表記されたそれぞれの線幅によって情報を示すものである。バーコードは情報読取装置として、コンビニやスーパーなどで使用されているバーコードリーダーにより読み取ることができる。バーコードでは、情報として多くは担持できないので、ＩＤ情報のみでもよい。
【００６４】
ＱＲコードは、矩形状のセルを縦列および横列に二次元的に並べたものである。ＱＲコードは、携帯電話機などでも読めるが、ＱＲコードリーダ、ＱＲコードスキャナ等と称されて販売されている情報読取装置が使用できる。
【００６５】
ここで、ドットコードについて図１５に基づいて説明する。ドットコードは、基準となるキードットと、このキードットを基準として一辺が２ｍｍの正方形に、格子ドットと、情報を示す１６個の情報ドットが含まれている。この情報ドットにより４８ｂｉｔの情報を板体Ｐに担持させることができる。ドットコードは、例えば、「Ｇｒｉｄ  Ｏｎｐｕｔ（登録商標）」とすることができる。このドットコードをカーボンインクで印刷すると、カーボンインクは赤外線を吸収するため、情報読取装置として赤外線カメラにより撮像することで、ドットを黒色で読み取ることができる。しかし、板体Ｐにはドットコードのみが表記されることからドットコードを非カーボンインクにより印刷して可視光カメラにより撮像してもよい。
【００６６】
板体Ｐに光学的読取情報を担持させた図１４（Ａ）から同図（Ｃ）のいずれかの情報格納体Ｍは、図１６に示すように、人工歯２０１、義歯床２０２と、バー２０３と、クラスプ２０４に内蔵させることができる。
これは、実施の形態３において、発信素子を例に説明したように、各パーツの凹部２０１ａ〜２０４ａにそれぞれ情報格納体Ｍを入れ、樹脂にて情報格納体Ｍを封止したり、情報格納体Ｍの裏面に接着材を塗布して凹部２０１ａ〜２０４ａに固定したりすることで、情報格納体Ｍを収容することができる。
【００６７】
この場合、封止樹脂は、情報格納体Ｍが外側から読み取れる必要があるため、硬化した際に透明樹脂もしくは読取光を透過させる樹脂とする。
【００６８】
光学的読取情報を板体Ｐに担持させた情報格納体Ｍは、発信素子より記憶容量が劣るものの、有床義歯２００に情報格納体Ｍを内蔵させているため、容易に取り出して個人を特定することができる。また、情報格納体Ｍは、半導体である発信素子と異なり、故障せず、高い耐熱性を有しているため、情報格納体Ｍの封止の際に高温により情報が破壊されることがない。また、封止樹脂の表面が汚染され、読取りできなくなっても、封止樹脂の表面を洗浄すればよいので、読取り作業の回復が容易である。
【００６９】
情報格納体Ｍを樹脂製である人工歯２０１または義歯床２０２に内蔵させた場合には、情報格納体Ｍが樹脂封止されるので耐久性を高くすることができる。また、情報格納体Ｍをバー２０３またはクラスプ２０４に内蔵させた場合には、情報格納体Ｍの裏面の接着材により内蔵させ、おもて面は露出させた状態なので、封止樹脂が無い分、読取り精度が高い。
【００７０】
情報格納体Ｍを有床義歯２００に内蔵させるときに、それぞれの構成部材（人工歯２０１，義歯床２０２，バー２０３，クラスプ２０４）のいずれかに内蔵されたり、組み合わせたり、または全部に内蔵させたりすることができる。また、情報格納体Ｍを、複数の人工歯２０１に内蔵させたり、義歯床２０２の左右両方の歯肉部分に内蔵させたりすることもできる。複数の情報格納体Ｍを内蔵させるときには、情報が同じ情報格納体Ｍ、または情報が異なる情報格納体Ｍを内蔵させることができる。
【００７１】
このようにして有床義歯に内蔵された情報格納体Ｍが担持する情報を読取装置にて読み取ることで、対象者（装着者）が活動できる状態であっても、有床義歯２００は取り外しが簡単なので、有床義歯２００に内蔵された情報格納体Ｍから情報を読み取ることが容易である。従って、装着者がどのような状態であっても、装着者の個人を特定することが容易にできる。
なお、実施の形態４においては、部分義歯を例に説明したが、情報格納体Ｍを全部床義歯の人工歯や義歯床に内蔵するようにしてもよい。
【産業上の利用可能性】
【００７２】
本発明は、有床義歯を装着している老齢者や要介護者、その他の装着者に好適である。
【符号の説明】
【００７３】
１０，１１  安否確認システム
２０，２０ｘ  有床義歯
２１  義歯床
２２，２２ａ  人工歯
２２ｂ  窪み
３０，３１  センサ
４０  通信装置
５０  管理サーバ
５１  通信部
５２  安否判定部
５３  報知部
５４  時間設定部
５５  カレンダ部
５６  記憶部
６０  容器
２００  有床義歯
２０１  人工歯
２０２  義歯床
２０３  バー
２０４  クラスプ
Ｔ  発信素子
Ａ  アンテナ
Ｗ  インターネット
Ｈ  住居
Ｐ  板体
Ｍ  情報記録格納体
【図１】
0005897352.tif 000002
【図２】
0005897352.tif 000003
【図３】
0005897352.tif 000004
【図４】
0005897352.tif 000005
【図５】
0005897352.tif 000006
【図６】
0005897352.tif 000007
【図７】
0005897352.tif 000008
【図８】
0005897352.tif 000009
【図９】
0005897352.tif 000010
【図１０】
0005897352.tif 000011
【図１１】
0005897352.tif 000012
【図１２】
0005897352.tif 000013
【図１３】
0005897352.tif 000014
【図１４】
0005897352.tif 000015
【図１５】
0005897352.tif 000016
【図１６】
0005897352.tif 000017